【手続補正書】
【提出日】平成22年11月11日(2010.11.11)
【手続補正１】
【補正対象書類名】特許請求の範囲
【補正対象項目名】全文
【補正方法】変更
【補正の内容】
【特許請求の範囲】
【請求項１】
印刷ジョブの実行に関する調整動作を実行可能な印刷システムであって、
前記調整動作を実行すべき第１のタイミングを示す情報を記憶する記憶手段と、
前記記憶手段に記憶されている前記第１のタイミングを示す情報に基づいて前記調整動作を実行する制御手段と、
前記制御手段が前記調整動作を実行したことに従って、前記第１のタイミングより後の第２のタイミングを示す情報を、前記調整動作を実行すべきタイミングを示す情報として設定する設定手段とを備え、
前記制御手段は、前記第１のタイミングで調整動作を実行した後に所定期間経過した後であって前記第２のタイミングになる前に、前記印刷システムに印刷中断要因が発生したことに応じて、前記調整動作を実行し、
前記設定手段は、当該実行に従って、前記第２のタイミングより後の第３のタイミングを示す情報を、前記調整動作を実行すべきタイミングを示す情報として設定することを特徴とする印刷システム。
【請求項２】
前記制御手段は、前記印刷中断要因が発生したことに応じて、実行可能な調整動作をユーザインタフェース手段によって提示し、
前記ユーザインタフェース手段を介して受付けた指示に基づいて、前記実行可能な調整動作を実行することを特徴とする請求項１に記載の印刷システム。
【請求項３】
前記印刷システムは、前記印刷ジョブの実行に関する複数種類の調整動作を実行可能であり、
前記制御手段は、前記印刷中断要因が発生したことに応じて、前記複数種類の調整動作のうち実行可能な調整動作の候補をユーザインタフェース手段によって提示し、
前記ユーザインタフェース手段によって提示した候補の中から、ユーザにより選択された調整動作を実行することを特徴とする請求項１または請求項２に記載の印刷システム。
【請求項４】
前記ユーザインタフェース手段によって提示する前記実行可能な調整動作の候補は、ユーザにより予め指定可能であることを特徴とする請求項３に記載の印刷システム。
【請求項５】
前記ユーザインタフェース手段によって提示する前記実行可能な調整動作の候補は、前記印刷中断要因の種類に基づいて決定されることを特徴とする請求項３に記載の印刷システム。
【請求項６】
前記制御手段は、前記調整動作の実行を、前記印刷中断要因の発生により実行が中断された印刷ジョブの実行を再開する前に開始することを特徴とする請求項１乃至請求項５の何れかに記載の印刷システム。
【請求項７】
前記制御手段は、
前記印刷中断要因が発生したことに応じて前記調整動作を実行するか否かを、前記印刷中断要因の発生により実行が中断された印刷ジョブに後続する印刷ジョブに関する情報に基づいて決定することを特徴とする請求項１乃至請求項６の何れかに記載の印刷システム。
【請求項８】
前記印刷システムは、印刷装置と、当該印刷装置と通信可能な後処理装置とを含み、
前記制御手段は、前記印刷装置に印刷中断要因が発生したことに応じて、前記後処理装置の調整動作を実行することを特徴とする請求項１乃至請求項７の何れかに記載の印刷システム。
【請求項９】
前記調整動作は、印刷濃度に関する調整動作、及び、階調補正に関する調整動作、及び、給紙部に関する調整動作のうちの少なくとも何れかであることを特徴とする請求項１乃至請求項７の何れかに記載の印刷システム。
【請求項１０】
前記印刷中断要因は、前記印刷ジョブのために用いる給紙カセットが開いた状態であるカセットオープン、及び、用紙なし、及び、前記印刷ジョブのために用いる排紙先が満載の状態であるトレイフルのうちの少なくとも何れかであることを特徴とする請求項１乃至請求項９に記載の印刷システム。
【請求項１１】
前記調整動作を実行すべきタイミングを示す情報は、前記調整動作を実行すべき時間情報または前記印刷ジョブの実行によって印刷される印刷枚数に関する枚数情報であり、
前記制御手段は、前記記憶手段に記憶されている時間情報に対応する時間に達した場合、または、前記記憶手段に記憶されている枚数情報に対応する枚数の印刷を実行した場合に前記調整動作を実行することを特徴とする請求項１乃至請求項１０のいずれかに記載の印刷システム。
【請求項１２】
前記設定手段によって、前記第２のタイミングより後の第３のタイミングを示す情報を、前記調整動作を実行すべきタイミングを示す情報として設定した場合に、前記制御手段は、前記第２のタイミングにおける調整動作を実行しないことを特徴とする請求項１乃至請求項１１のいずれかに記載の印刷システム。
【請求項１３】
印刷ジョブの実行に関する調整動作を実行可能な印刷システムの制御方法であって、
前記調整動作を実行すべき第１のタイミングを示す情報を記憶手段に記憶し、
前記記憶手段に記憶された前記第１のタイミングを示す情報に基づいて前記調整動作を実行し、
前記調整動作を実行したことに従って、前記第１のタイミングより後の第２のタイミングを、前記調整動作を実行すべきタイミングを示す情報として設定し、
前記第１のタイミングで調整動作を実行した後に所定期間経過した後であって前記第２のタイミングになる前に、前記印刷システムに印刷中断要因が発生したことに応じて、前記調整動作を実行し、
当該実行に従って、前記第２のタイミングより後の第３のタイミングを示す情報を、前記調整動作を実行すべきタイミングを示す情報として設定することを特徴とする印刷システムの制御方法。
【請求項１４】
前記印刷中断要因が発生したことに応じて、実行可能な調整動作をユーザインタフェース手段によって提示し、
前記ユーザインタフェース手段を介して受付けた指示に基づいて、前記実行可能な調整動作を実行することを特徴とする請求項１３に記載の印刷システムの制御方法。
【請求項１５】
前記印刷システムは、前記印刷ジョブの実行に関する複数種類の調整動作を実行可能であり、
前記印刷中断要因が発生したことに応じて、前記複数種類の調整動作のうち実行可能な調整動作の候補をユーザインタフェース手段によって提示し、
前記ユーザインタフェース手段によって提示した候補の中から、ユーザにより選択された調整動作を実行することを特徴とする請求項１３または請求項１４に記載の印刷システムの制御方法。
【請求項１６】
前記ユーザインタフェース手段によって提示する前記実行可能な調整動作の候補は、ユーザにより予め指定可能であることを特徴とする請求項１５に記載の印刷システムの制御方法。
【請求項１７】
前記ユーザインタフェース手段によって提示する前記実行可能な調整動作の候補は、前記印刷中断要因の種類に基づいて決定されることを特徴とする請求項１５に記載の印刷システムの制御方法。
【請求項１８】
前記調整動作の実行を、前記印刷中断要因の発生により実行が中断された印刷ジョブの実行を再開する前に開始することを特徴とする請求項１３乃至請求項１７の何れかに記載の印刷システムの制御方法。
【請求項１９】
前記印刷中断要因が発生したことに応じて前記調整動作を実行するか否かを、前記印刷中断要因の発生により実行が中断された印刷ジョブに後続する印刷ジョブに関する情報に基づいて決定することを特徴とする請求項１３乃至請求項１８の何れかに記載の印刷システムの制御方法。
【請求項２０】
前記印刷システムは、印刷装置と、当該印刷装置と通信可能な後処理装置とを含み、
前記印刷装置に印刷中断要因が発生したことに応じて、前記後処理装置の調整動作を実行することを特徴とする請求項１３乃至請求項１９の何れかに記載の印刷システムの制御方法。
【請求項２１】
前記調整動作は、印刷濃度に関する調整動作、及び、階調補正に関する調整動作、及び、給紙部に関する調整動作のうちの少なくとも何れかであることを特徴とする請求項１３乃至請求項１９の何れかに記載の印刷システムの制御方法。
【請求項２２】
前記印刷中断要因は、前記印刷ジョブのために用いる給紙カセットが開いた状態であるカセットオープン、及び、用紙なし、及び、前記印刷ジョブのために用いる排紙先が満載の状態であるトレイフルのうちの少なくとも何れかであることを特徴とする請求項１３乃至請求項２１に記載の印刷システムの制御方法。
【請求項２３】
前記調整動作を実行すべきタイミングを示す情報は、前記調整動作を実行すべき時間情報または前記印刷ジョブの実行によって印刷される印刷枚数に関する枚数情報であり、
前記記憶手段に記憶されている時間情報に対応する時間に達した場合、または、前記記憶手段に記憶されている枚数情報に対応する枚数の印刷を実行した場合に前記調整動作を実行することを特徴とする請求項１３乃至請求項２２のいずれかに記載の印刷システムの制御方法。
【請求項２４】
前記第２のタイミングより後の第３のタイミングを示す情報を、前記調整動作を実行すべきタイミングを示す情報として設定した場合に、前記第２のタイミングにおける調整動作を実行しないことを特徴とする請求項１３乃至請求項２３のいずれかに記載の印刷システムの制御方法。
【請求項２５】
請求項１３乃至請求項２４に記載の印刷システムの制御方法を実行する印刷装置。
【請求項２６】
請求項１３から請求項２４の何れかに記載の印刷システムの制御方法を、前記印刷システムのコンピュータに実行させるためのコンピュータプログラム。
【請求項２７】
請求項２６に記載のコンピュータプログラムを記憶したコンピュータ読取可能な記憶媒体。
【手続補正２】
【補正対象書類名】明細書
【補正対象項目名】０００６
【補正方法】変更
【補正の内容】
【０００６】
上記目的のため、本発明の請求項１記載の印刷システムは、次の特徴を持つ。本発明の印刷システムは、印刷ジョブの実行に関する調整動作を実行可能な印刷システムであって、調整動作を実行すべき第１のタイミングを示す情報を記憶する記憶手段と、記憶手段に記憶されている第１のタイミングを示す情報に基づいて調整動作を実行する制御手段と、調整動作を実行したことに従って、第１のタイミングより後の第２のタイミングを示す情報を、調整動作を実行すべきタイミングを示す情報として設定する設定手段とを備え、制御手段は、第１のタイミングで実行される調整動作を実行した後に所定期間経過した後であって第２のタイミングになる前に、印刷システムに印刷中断要因が発生したことに応じて、調整動作を実行し、当該実行に従って、第２のタイミングより後の第３のタイミングを示す情報を、調整動作を実行すべきタイミングを示す情報として設定することを特徴とする。
【手続補正３】
【補正対象書類名】明細書
【補正対象項目名】０００７
【補正方法】変更
【補正の内容】
【０００７】
本発明によれば、印刷中断要因が原因で印刷ジョブの実行が中断されている間に、調整動作を実行することができる。そして、当該実行に応じて記憶手段に記憶されたタイミングを示す情報を次回調整動作を実行すべきタイミングを遅らせるべく更新する。それによって、印刷中断要因が解消した場合に、そのタイミングで調整動作が自動的に実行され、再び印刷ジョブの実行が中断されることによる中断頻度の増加を抑制することができる。